Podtech/llm-jp-corpus-v4-ja_patent huggingface dataset:
【手続補正書】
【提出日】平成25年7月16日(2013.7.16)
【手続補正１】
【補正対象書類名】特許請求の範囲
【補正対象項目名】全文
【補正方法】変更
【補正の内容】
【特許請求の範囲】
【請求項１】
ヒトの母乳を搾り出すための装置であって、前記装置は、母親の乳房にあてる乳房シールド（４）、真空を発生させる真空ポンプ（１，９，９’）、前記真空ポンプ（１，９，９’）を前記乳房シールド（４）に接続し、発生した真空を前記乳房シールド（４）へ移送することを意図されたライン（２）、及びチャンバー（１３３，１１２；８）を有し、前記ライン（２）のポンプ側は、前記チャンバー（１３３，１１２；８）の第一のポート（１３０，１３０’）で終わり、前記チャンバー（１３３，１１２；８）は、乳収集容器（７）へ接続するための第二のポート（１３１，１３１’）を有し、前記チャンバー（１３３，１１２；８）の２つのポート（１３０，１３０’，１３１，１３１’）は、流体連結によって互いに接続され、搾出操作の間、前記ライン（２）は前記乳房シールド（４）において搾り出された母乳を前記チャンバー（１３３，１１２；８）へ移送し、かつ前記チャンバー（１３３，１１２；８）から前記乳収集容器（７）へ移送するための乳ラインを形成する
ことを特徴とするヒトの母乳を搾り出すための装置。
【請求項２】
前記チャンバー（１３３，１１２；８）を駆動部側領域（１１２，８０）と乳房側領域（１３３，８１）に分離する間仕切り壁（１４，１４’）が備えられ、前記第一及び第二のポート（１３０，１３０’，１３１，１３１’）が前記乳房シールド側領域（１３３，８１）に配置される請求項１に記載の装置。
【請求項３】
前記間仕切り壁（１４，１４’）が隔壁であり、前記隔壁（１４，１４’）が搾り出された乳を運ぶために、駆動され、設計される請求項２に記載の装置。
【請求項４】
前記真空ポンプ（１）が隔壁ポンプであり、前記チャンバー（１３３，１１２）が前記真空ポンプ（１）のポンプチャンバーであり、前記隔壁（１４’）が前記チャンバー（１３３，１１２）を、上述の２つの領域に分離する請求項３に記載の装置。
【請求項５】
前記隔壁（１４）の駆動が、前記ポンプチャンバー（１３３，１１２）における真空の発生と、乳の流れの運搬を同時に行う役割を果たす請求項３又は４に記載の装置。
【請求項６】
前記隔壁（１４，１４’）が実質的に丸い輪郭を有する請求項３〜５のいずれかに記載の装置。
【請求項７】
前記隔壁（１４，１４’）が、その中央領域、好ましくはその中央で駆動される請求項３〜６のいずれかに記載の装置。
【請求項８】
前記第二のポート（１３１，１３１’）に、吸引された乳が前記乳収集容器（７）から前記チャンバー（１３３，１１２；８）へ流れ戻ることを防止する一方向弁（５）を備えた請求項１〜７のいずれかに記載の装置。
【請求項９】
前記乳房シールド（４）が管状コネクター（４０）とその上に一体的に形成されて母親の乳房上に置かれることを意図される漏斗状部（４２）を有し、前記漏斗状部（４２）は前記コネクター（４０）から離れるその自由な側に向かって広がり、通路（４３）があり、この通路は前記漏斗状部（４２）の乳房側端部から前記コネクター（４０）の、前記乳房側端部の反対側のポンプ側端部まで連続して延び、かつ母親の乳房に真空を適用して、搾り出された母乳を流れ出させるための役割を果たし、前記漏斗状部（４２）は前記コネクター（４０）よりも柔軟なデザインであり、前記漏斗状部（４２）は、前記通路（４３）の第一開口角（α１）を備えたその長さの大部分にわたって延びる主領域（４２０）と、前記通路（４３）の第二開口角（α２）を備えた乳房側端部領域（４２１）を有し、使用していないときに、前記第一開口角（α１）は、前記第二開口角（α２）よりも小さく、使用状態において、少なくとも前記第一開口角（α１）は、前記乳房シールド（４）上の軸方向の圧力によって拡大され得る請求項１〜８のいずれかに記載の装置。
【請求項１０】
前記乳房シールド（４）は、管状コネクター（４０）とその上に一体的に形成され、母親の乳房に置かれることを意図される漏斗状部（４２）とを有し、前記漏斗状部（４２）は５ｍｍ〜４０ｍｍの乳房側直径（Ｄ）と、１０ｍｍ〜４０ｍｍの長さ（Ｌ）を有し、使用状態において、乳首及び最大で乳輪が前記乳房シールド（４）によって囲まれる請求項１〜９のいずれかに記載の装置。
【請求項１１】
前記乳房シールド（４）が、接続部（３）に配置され、接続部（３）の上部領域は使用位置において、前記ライン（２）の接続のためのポート（３１）を有する請求項１〜１０のいずれかに記載の装置。
【請求項１２】
乳房シールド（４）によってヒトの母乳を搾り出すための真空ポンプ（１）であって、前記真空ポンプ（１）は、駆動部（１１，１２）と、この駆動部（１１，１２）によって周期的に駆動され得る隔壁（１４）を有し、前記隔壁（１４）は、チャンバー（１３３，１１２）に配置され、前記チャンバー（１３３，１１２）を駆動側部分（１１２）と乳房シールド側部分（１３３）に分離し、前記乳房シールド側部分（１３３）は前記乳房シールド（４）への接続を作り出すためのライン（２）のための真空ポート（１３０）を有し、前記チャンバー（１３３，１１２）の乳房シールド側部分（１３３）はさらに乳収集容器（７）への接続を作り出すための乳ポート（１３１）を有し、前記真空ポート（１３０）と前記乳ポート（１３１）は前記チャンバー（１３３，１１２）の乳房シールド側部分（１３３）を通じて流体連結によって互いに接続されている真空ポンプ。
【請求項１３】
前記真空ポンプは隔壁ポンプ（１）であり、前記チャンバー（１３３，１１２）が真空を発生するために用いられる前記隔壁ポンプ（１）のポンプチャンバーであり、前記隔壁（１４）が真空を発生するために用いられる隔壁である請求項１２記載の真空ポンプ。
【請求項１４】
前記ライン（２）が柔軟ラインである請求項１〜１３のいずれかに記載の真空ポンプ。
【請求項１５】
ヒトの母乳を搾り出すための装置の操作方法であって、真空ポンプ（１，９，９’）によって真空が乳房シールド（４）内に発生し、発生した真空は、チャンバー（１３３，１１２；８）からライン（２）を通じて乳房シールド（４）へ導かれ、搾り出された乳が前記乳房シールド（４）を通じて乳収集容器（７）に集められ、搾出操作の間、真空を移送するために用いられる同じライン（２）が、前記乳房シールド（４）で搾り出された乳を前記チャンバー（１３３，１１２；８）へ運び、搾出操作の間、乳はさらに前記チャンバー（１３３，１１２；８）から前記乳収集容器（７）へ運ばれる方法。
【請求項１６】
前記チャンバー（１３３，１１２；８）内に十分な圧力があるとき、前記チャンバー（１３３，１１２；８）と前記乳収集容器（７）間に接続を作り出す逆止めバルブ（５）が使用される請求項１５記載の方法。
【請求項１７】
請求項１〜１１のいずれかに記載の装置において使用される接続部（３）であって、前記接続部（３）は乳房シールド（４）をライン（２）に接続し、前記ライン（２）は前記乳房シールド（４）を真空ポンプ（１，９，９’）に接続し、前記ライン（２）は搾り出された母乳を移送するための乳ラインを形成し、前記接続部（３）は前記ライン（２）の接続のためのポートを有することを特徴とする接続部。
【請求項１８】
請求項１７に記載の接続部を備えた乳房シールドユニット。
【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
内視鏡手術を行って、その後に長尺部材から取り出されるために、前記長尺部材の長手方向通路に挿入して、前記長尺部材から延びるための長尺ツールと；
前記身体内からサンプルを収集して、その後に、前記長尺部材からの前記ツールの引き出しによって身体からのサンプルを取り出すために、前記長手方向通路を通って前記身体へ挿入するための、前記長尺ツールを囲むように構成された一片の吸収シート材料と、ここで、一片の前記吸収シート材料は、前記ツールの引き出しの後で前記長尺ツールから取り出されて、前記身体内からのサンプルを提供するよう構成されている；
を備えるシステム。
【請求項２】
前記長尺部材は、内視鏡システムの一部であり、さらに、前記内視鏡システムは、気管支鏡システムである、請求項１に記載のシステム。
【請求項３】
前記長尺ツールは、サイトロジーブラシである、請求項１又は２に記載のシステム。
【請求項４】
前記吸収シート材料は、吸収性マトリックス材料である、請求項１〜３のいずれか１項に記載のシステム。
【請求項５】
前記吸収シート材料は、高い浸透速度と高い吸収容量とを有するマトリックス材料である、請求項４に記載のシステム。
【請求項６】
前記吸収シート材料は、シリンダに形成でき、かつ、前記長尺ツールの周囲に巻かれるものとされている、請求項１〜５のいずれか１項に記載のシステム。
【請求項７】
前記吸収シート材料は、前記吸収シート材料に配置された不活性の医用接着剤によって、シリンダに形成された状態で維持されるものとなっている、請求項６に記載のシステム。
【請求項８】
前記不活性の医用接着剤は、前記吸収シート材料上の一つまたは複数のストリップ内に配置されている、請求項７に記載のシステム。
【請求項９】
前記サンプルは、希釈されていない体液である、請求項１〜８のいずれか１項に記載のシステム。
【請求項１０】
希釈されていない前記液体は、希釈されていない気管支上皮被覆液である、請求項９に記載のシステム。
【請求項１１】
前記吸収シート材料は、遠心分離工程が適用されたときには、収集されたサンプルを解放するように構成されている、請求項１〜１０のいずれか１項に記載のシステム。
【請求項１２】
請求項１〜１１のいずれかに記載のシステムと、
長尺部材と、ここで前記長尺部材は、長手方向通路を有しており、かつ、体内に挿入されるようになっている
を備える内視鏡システム。
【請求項１３】
長尺部材の長手方向通路に挿入するためにサイトロジーブラシと、
一片の吸収シート材料と、ここでこれは、身体内部からサンプルを収集し、そしてその後、前記サンプルを取り出すために、前記サイトロジーブラシを囲うように構成されている
を備えるシステム。
【手続補正書】
【提出日】平成25年5月8日(2013.5.8)
【手続補正１】
【補正対象書類名】特許請求の範囲
【補正対象項目名】全文
【補正方法】変更
【補正の内容】
【特許請求の範囲】
【請求項１】
植物由来のウイルス様粒子（ＶＬＰ）を調製する方法であって、
ａ．アポプラスト局在ＶＬＰを含む植物または植物材料を得ること、
ｂ．細胞壁分解酵素組成物による植物または植物材料の処理により、プロトプラスト／スフェロプラスト画分およびアポプラスト画分を生産すること；および、
ｃ．アポプラスト画分を回収すること、ここに、該アポプラスト画分は、植物由来のＶＬＰを含む
を含む方法。
【請求項２】
細胞壁分解酵素組成物が、１つもしくはそれ以上のペクチナーゼ、１つもしくはそれ以上のセルラーゼ、または、１つもしくはそれ以上のペクチナーゼおよび１つもしくはそれ以上のセルラーゼを含む、請求項１に記載の方法。
【請求項３】
細胞壁分解酵素組成物が、１つまたはそれ以上のリパーゼ、プロテアーゼまたはペクチナーゼを含まない、請求項２に記載の方法。
【請求項４】
得る工程（工程ａ）において、植物が、ウイルスエンベロープタンパク質、ウイルス構造タンパク質、ウイルスカプシドタンパク質、およびウイルスコートタンパク質の群から選択されるタンパク質をコードする核酸配列で形質転換され、該植物または植物材料が回収される、請求項１に記載の方法。
【請求項５】
核酸が植物に一過性で導入される、請求項４に記載の方法。
【請求項６】
核酸が植物のゲノム内に安定に組み込まれる、請求項４に記載の方法。
【請求項７】
得る工程（工程ａ）において、植物を成長させ、植物または植物材料を回収する、請求項１に記載の方法。
【請求項８】
核酸がインフルエンザの血球凝集素をコードする、請求項４に記載の方法。
【請求項９】
植物由来のウイルス様粒子（ＶＬＰ）がノイラミニダーゼまたはＭタンパク質を含まない、請求項１に記載の方法。
【請求項１０】
植物材料が葉および培養された植物細胞の群から選択される、請求項１に記載の方法。
【請求項１１】
ｄ）アポプラスト画分から植物由来のウイルス様粒子（ＶＬＰ）を精製する工程をさらに含む、請求項１に記載の方法。
【請求項１２】
精製する工程が、浄化された抽出物を生産するための深層濾過を使用してアポプラスト画分を濾過すること、次に、陽イオン交換樹脂を使用する浄化された抽出物のクロマトグラフィーを含む、請求項１１に記載の方法。
【請求項１３】
植物由来の脂質エンベロープを含む植物由来のウイルス様粒子（ＶＬＰ）を調製する方法であって、
ａ．アポプラスト局在ＶＬＰを含む植物または植物材料を得ること、
ｂ．植物または植物材料を酵素組成物で処理して、プロトプラスト／スフェロプラスト画分およびＶＬＰを含む１つもしくはそれ以上のアポプラストタンパク質複合体を生産すること；
ｃ．プロトプラスト／スフェロプラスト画分から１つもしくはそれ以上のアポプラストタンパク質複合体を分離すること
を含む方法。
【請求項１４】
酵素組成物が、１つもしくはそれ以上のペクチナーゼ、１つもしくはそれ以上のセルラーゼ、または、１つもしくはそれ以上のペクチナーゼおよび１つもしくはそれ以上のセルラーゼを含む、請求項１３に記載の方法。
【請求項１５】
酵素組成物が、１つまたはそれ以上のリパーゼ、プロテアーゼまたはペクチナーゼを含まない、請求項１３に記載の方法。
【請求項１６】
ｄ）１つもしくはそれ以上のアポプラストタンパク質複合体から植物由来のウイルス様粒子（ＶＬＰ）を精製する工程をさらに含む、請求項１３に記載の方法。
【請求項１７】
精製する工程が、浄化された抽出物を生産するための深層濾過、次に、陽イオン交換樹脂を使用する浄化された抽出物のクロマトグラフィーを含む、請求項１６に記載の方法。
【請求項１８】
得る工程（工程ａ）において、植物が、ウイルスエンベロープタンパク質、ウイルス構造タンパク質、ウイルスカプシドタンパク質、およびウイルスコートタンパク質の群から選択されるタンパク質をコードする核酸配列で形質転換され、該植物または植物材料が回収される、請求項１３に記載の方法。
【請求項１９】
核酸が植物に一過性で導入される、請求項１８に記載の方法。
【請求項２０】
核酸が植物のゲノム内に安定に組み込まれる、請求項１８に記載の方法。
【請求項２１】
得る工程（工程ａ）において、植物を成長させ、植物または植物材料を回収する、請求項１３に記載の方法。
【請求項２２】
ウイルス様粒子（ＶＬＰ）がインフルエンザの血球凝集素を含む、請求項１８に記載の方法。
【請求項２３】
植物材料が葉および培養された植物細胞の群から選択される、請求項１３に記載の方法。
【請求項２４】
ウイルス様粒子（ＶＬＰ）がノイラミニダーゼまたはＭタンパク質を含まない、請求項１３に記載の方法。
【請求項２５】
ａ．植物由来のウイルス様粒子（ＶＬＰ）を含む植物または植物材料を得ること、
ｂ．消化された画分を生産するために細胞壁分解酵素組成物を使用して植物または植物材料を消化すること、
ｃ．濾過された画分を生産するために消化された画分を濾過し、濾過された画分から植物由来のＶＬＰを回収すること
を含む、植物由来のＶＬＰを調製する方法。
【請求項２６】
細胞壁分解酵素組成物が、１つもしくはそれ以上のペクチナーゼ、１つもしくはそれ以上のセルラーゼ、または、１つもしくはそれ以上のペクチナーゼおよび１つもしくはそれ以上のセルラーゼを含む、請求項２５に記載の方法。
【請求項２７】
細胞壁分解酵素組成物が、１つまたはそれ以上のリパーゼ、プロテアーゼまたはペクチナーゼを含まない、請求項２５に記載の方法。
【請求項２８】
得る工程（工程ａ）において、植物が、ウイルスエンベロープタンパク質、ウイルス構造タンパク質、ウイルスカプシドタンパク質、およびウイルスコートタンパク質の群から選択されるタンパク質をコードする核酸配列で形質転換され、植物または植物材料が回収される、請求項２５に記載の方法。
【請求項２９】
核酸が植物に一過性で導入される、請求項２８に記載の方法。
【請求項３０】
核酸が植物のゲノム内に安定に組み込まれる、請求項２８に記載の方法。
【請求項３１】
植物由来のウイルス様粒子（ＶＬＰ）がインフルエンザの血球凝集素を含む、請求項２８に記載の方法。
【請求項３２】
植物材料が葉および培養された植物細胞の群から選択される、請求項２５に記載の方法。
【請求項３３】
ｄ）細胞残屑および不溶性材料から濾過された画分中の該ウイルス様粒子（ＶＬＰ）を分離する工程をさらに含む、請求項２５に記載の方法。
【請求項３４】
分離する工程が遠心分離により行われる、請求項３３に記載の方法。
【請求項３５】
分離する工程が深層濾過により行われる、請求項３３に記載の方法。
【請求項３６】
ｄ）濾過された画分から植物由来のウイルス様粒子（ＶＬＰ）を精製する工程をさらに含む、請求項２５に記載の方法。
【請求項３７】
精製する工程が、浄化された抽出物を生産するための濾過された画分の深層濾過、次に、陽イオン交換樹脂を使用する浄化された抽出物のクロマトグラフィーを含む、請求項３６に記載の方法。
【手続補正書】
【提出日】平成25年9月3日(2013.9.3)
【手続補正１】
【補正対象書類名】特許請求の範囲
【補正対象項目名】全文
【補正方法】変更
【補正の内容】
【特許請求の範囲】
【請求項１】
炎症及び／又は過度の血液の凝固の処置又は予防における使用のための、ヘパリンコファクターIIに由来するアミノ酸配列、又はその断片、変異体、融合体若しくは誘導体、又は該その断片、変異体若しくは誘導体の融合体を含んでなるか、又はこれらから成るポリペプチドであって、
該断片、変異体、融合体若しくは誘導体は、抗炎症活性及び／又は抗凝固活性を示す、上記ポリペプチド。
【請求項２】
ポリペプチドが１５〜１００個のアミノ酸の長さである、請求項１に記載のポリペプチド。
【請求項３】
下記の配列番号１〜３のいずれか１つのアミノ酸配列：
“ＫＹＥ２８”：ＫＹＥＩＴＴＩＨＮＬＦＲＫＬＴＨＲＬＦＲＲＮＦＧＹＴＬＲ［配列番号１］
“ＫＹＥ２１”：ＫＹＥＩＴＴＩＨＮＬＦＲＫＬＴＨＲＬＦＲＲ［配列番号２］
“ＮＬＦ２０”：ＮＬＦＲＫＬＴＨＲＬＦＲＲＮＦＧＹＴＬＲ［配列番号３］
又はその断片、変異体、融合体若しくは誘導体、又は該その断片、変異体若しくは誘導体の融合体を含んでなるか、又はこれらから成るポリペプチドであって、該断片、変異体、融合体若しくは誘導体は、配列番号１〜３のいずれか１つの抗炎症活性を保持している、請求項１又は２に記載のポリペプチド。
【請求項４】
配列番号１〜３のいずれか１つのアミノ酸配列を含んでなるか、又はこれらから成る、請求項３に記載のポリペプチド。
【請求項５】
下記から選択される疾患、状態又は適応の処置又は予防に使用するための請求項１〜４のいずれか１項に記載のポリペプチド：
ｉ）感染性要素の有無にかかわらず、急性全身性炎症疾患、例えば全身性炎症反応症候群（ＳＩＲＳ）、ＡＲＤＳ、敗血症、重症敗血症、及び敗血症性ショック；丹毒、髄膜炎、関節炎、トキシックショック症候群、憩室炎、中垂炎、膵炎、胆嚢炎、大腸炎、蜂巣炎、火傷感染症、肺炎、尿路感染症、術後感染症、及び腹膜炎を含む、他の全身性又は限局性で侵襲性の感染性及び炎症性疾患：
ii）下記を含む慢性炎症性及び／又は感染性疾患；嚢胞性線維症、ＣＯＰＤ及び他の肺疾患、慢性皮膚及び胃潰瘍を含む胃腸疾患、アトピー性皮膚炎、口腔内潰瘍（アフタ性潰瘍）、陰部潰瘍及び炎症性変化、歯周炎、結膜炎及び角膜炎を含む眼の炎症、外耳炎、中耳炎、泌尿生殖器の炎症などの他の上皮炎症性及び／又は感染性疾患：
iii）術後炎症；血栓症、ＤＩＣ、術後凝固異常、並びに体外循環、及び生体材料の使用を含む異物との接触に関連する凝固異常を含む、炎症性及び凝固異常；更に、血管炎関連炎症性疾患、並びにアレルギー性鼻炎及び喘息を含むアレルギー：
iv）過度の接触活性化及び／又は脳卒中（これらに限定されない）に関連する凝固：
ｖ）抗微生物剤処置との併用での過度の炎症。
【請求項６】
急性炎症、敗血症、急性呼吸窮迫症候群（ＡＲＤＳ）、慢性閉塞性肺疾患（ＣＯＰＤ）、嚢胞性線維症、喘息、アレルギー性及び他のタイプの鼻炎、皮膚血管炎及び全身性血管炎、血栓症及び播種性血管内凝固（ＤＩＣ）の処置又は予防に使用するための、請求項１〜５のいずれか１項に記載のポリペプチド。
【請求項７】
抗炎症活性及び／又は抗微生物活性及び／又は抗凝固活性を示す、ヘパリンコファクターIIに由来するアミノ酸配列、又はその断片、変異体、融合体若しくは誘導体、又は該その断片、変異体若しくは誘導体の融合体を含んでなるか、これらから成る単離されたポリペプチドであり、
但し、該ポリペプチドは天然に存在するタンパク質ではないことを条件とする、上記単離されたポリペプチド。
【請求項８】
該ポリペプチドが、１５〜１００個のアミノ酸の長さである、請求項７に記載のポリペプチド。
【請求項９】
下記の配列番号１〜３のいずれか１つのアミノ酸配列：
“ＫＹＥ２８”：ＫＹＥＩＴＴＩＨＮＬＦＲＫＬＴＨＲＬＦＲＲＮＦＧＹＴＬＲ  ［配列番号１］
“ＫＹＥ２１”：ＫＹＥＩＴＴＩＨＮＬＦＲＫＬＴＨＲＬＦＲＲ  ［配列番号２］
“ＮＬＦ２０”：ＮＬＦＲＫＬＴＨＲＬＦＲＲＮＦＧＹＴＬＲ  ［配列番号３］、
又は配列番号１〜３のいずれか１つの抗炎症活性及び／又は抗微生物活性及び／又は抗凝固活性を保持している、その断片、変異体、融合体若しくは誘導体、又は該その断片、変異体若しくは誘導体の融合体を含んでなるか、又はこれらから成る、請求項７又は８に記載のポリペプチド。
【請求項１０】
配列番号１〜３のいずれか１つのアミノ酸配列を含んでなるか、又はこれらから成る、請求項９に記載のポリペプチド。
【請求項１１】
請求項７〜１０のいずれか１項に記載のポリペプチドをコードする、単離された核酸分子。
【請求項１２】
請求項１１に記載の核酸分子を含んでなる、宿主細胞。
【請求項１３】
請求項７〜１０のいずれか１項に記載のポリペプチドを、製薬学的に許容される賦形剤、希釈剤、担体、バッファー又はアジュバントと一緒に含んでなる、医薬組成物。
【請求項１４】
医療に使用するための、請求項７又は８に記載のポリペプチド。
【請求項１５】
炎症及び／又は過度の凝固の処置又は予防のための薬剤の製造における、請求項７〜１
０のいずれか１項に記載のポリペプチドの使用。
【手続補正書】
【提出日】平成25年9月11日(2013.9.11)
【手続補正１】
【補正対象書類名】明細書
【補正対象項目名】００７９
【補正方法】変更
【補正の内容】
【００７９】
異なった操作状態、例えば、デバイス１のプライミング状態及び非プライミング状態を表示するために、外部表示エレメント１７は二つの第一の表示面１７Ａを提供する。外部表示エレメント１７は、二つの第二の表示面１７Ｂを提供する。個々の表示面１７Ａ及び１７Ｂは互いに異なる。例えば、第一の表示面１７Ａは、第二の表示面１７Ｂと比べて異なった色を有し得る。好ましくは、第一の表示面１７Ａは、デバイス１が非プライミング状態であることを表示するために、オレンジ又は赤色を含む。第二の表示面１７Ｂは、デバイス１がプライミング状態であることを表示するために、緑又は白色を含み得る。
【手続補正書】
【提出日】平成25年9月6日(2013.9.6)
【手続補正１】
【補正対象書類名】明細書
【補正対象項目名】００３４
【補正方法】変更
【補正の内容】
【００３４】
薬剤容器２は、好ましくは鎮痛薬、抗凝固薬、インスリン、インスリン誘導体、ヘパリン、ロベノックス、ワクチン、成長ホルモン、ペプチドホルモン、タンパク質、抗体及び複合糖質の１つを送達するために使用されてよい。
【手続補正書】
【提出日】平成25年9月6日(2013.9.6)
【手続補正１】
【補正対象書類名】明細書
【補正対象項目名】００６７
【補正方法】変更
【補正の内容】
【００６７】
この点で、医療デバイス又はラッチング手段は、カートリッジの挿入の次に、一連の事象が起こるように構築される：先ずドア７が手動で閉鎖され、そして可動部材又はラッチスイッチ１６が一時的に状態１から２に変わり、そして１に戻る。１から２に、そして１に戻るラッチスイッチ１６の該状態変化は、次いで以下に続く一連の電子制御事象をアクティブ化する：医療デバイスは第２のスイッチの使用を通してデバイス内のカートリッジの存在を確認する。この方法はカートリッジが医療デバイスに挿入されているか否かを初めに記載する。またそれは、正しいカートリッジが専用のカートリッジ包装の一部として挿入されているか否かを確認してもよい。
【手続補正書】
【提出日】平成25年8月19日(2013.8.19)
【手続補正１】
【補正対象書類名】特許請求の範囲
【補正対象項目名】全文
【補正方法】変更
【補正の内容】
【特許請求の範囲】
【請求項１】
ＡＳＴＮ１（アストロタクチン１）及びＺＮＦ６７１（転写因子ジンクフィンガータンパク質６７１）のメチル化状態を決定することを備える、検体中の肛門性器路の癌又はその前段階を検出する方法であって、ＡＳＴＮ１及びＺＮＦ６７１が陽性サンプルにおいてメチル化されている方法であり、かつ、肛門性器路の癌が子宮頸癌である方法。
【請求項２】
検体が頸管スミアである、請求項１に記載の方法。
【請求項３】
プロモータ領域のメチル化状態が決定される、請求項１又は２に記載の方法。
【請求項４】
遺伝子のメチル化状態が、メチル化特異的ＰＣＲ（ＭＳＰ）により決定される、請求項１〜３のいずれか１項に記載の方法。
【請求項５】
ＭＳＰが定量的ＭＳＰ（ＱＭＳＰ）である、請求項４に記載の方法。
【請求項６】
定量的ＭＳＰがＭｅｔｈｙＬｉｇｈｔ法に基づく、請求項５に記載の方法。
【請求項７】
多重方式である、請求項１〜６のいずれか１項に記載の方法。
【請求項８】
以下の配列を含むプライマーペアを用いる、請求項４〜７のいずれか１項に記載の方法：
（ａ）ＣＧＴＡＡＧＣＧＴＴＧＴＴＡＧＣＧＴＡＧＣ（ＡＳＴＮ１＿Ｆ）  及び
ＣＧＣＧＡＡＡＴＣＧＡＡＡＣＧＡＡＡＡＣＧ（ＡＳＴＮ１＿Ｒ）；  
（ｂ）ＣＧＧＡＧＧＡＣＧＴＡＧＴＡＴＴＴＡＴＴＣＧＣ（ＺＮＦ６７１＿Ｆ）及び
ＣＴＡＣＧＴＣＣＣＣＧＡＴＣＧＡＡＡＣＧ（ＺＮＦ６７１＿Ｒ）。
【請求項９】
プライマーペア又は請求項８で定義されたいくつかのプライマーペア、及び、以下の配列の１つを含む少なくとも一つの追加のプローブを用いる、請求項６又は７に記載の方法：
（ａ）ＧＴＡＡＴＴＣＧＴＴＴＧＴＴＴＣＧＴＡＡＧＴＴＧＴＴＣＧ（ＡＳＴＮ１）；
（ｂ）ＣＧＴＧＧＧＣＧＣＧＧＡＣＡＧＴＴＧＴＣＧＧＧＡＧＣＧ（ＺＮＦ６７１）。
【請求項１０】
更に、ＨＰＶ感染の検出を備える、請求項１〜９のいずれか１項に記載の方法。
【請求項１１】
ＨＰＶの検出がＰＣＲにより行われる、請求項１０に記載の方法。
【請求項１２】
ＰＣＲにおいて以下の配列を備えるプライマーペアを用いる、請求項１１に記載の方法：
（ａ）ＧＧＴＴＡＴＡＡＴＡＡＴＧＧＴＡＴＴＴＧＴＴＧＧＧ（ＨＰＶ−Ｆ）、及び
（ｂ）ＴＡＡＡＡＡＡＴＡＡＡＣＴＡＴＡＡＡＴＣＡＴＡＴＴＣＣ（ＨＰＶ＿Ｒ）。
【請求項１３】
ＡＳＴＮ１（アストロタクチン１）及びＺＮＦ６７１（転写因子ジンクフィンガータンパク質６７１）のメチル化状態を決定するための、遺伝子特異的プライマー又はプライマーペアを備える、検体中における肛門性器路の癌又はその前段階を検出するためのキットであって、該プライマーは亜硫酸水素塩法で処理後のサンプルＤＮＡのメチル化状態に特異的に結合し、かつ、肛門性器路の癌が子宮頸癌であるキット。
【請求項１４】
請求項８で定義されたプライマー又はプライマーペアを備える、請求項１３に記載のキット。
【請求項１５】
請求項９で定義されたプローブを備える、請求項１３又は１４に記載のキット。
【請求項１６】
更に、ＨＰＶ感染を検出するためのプライマーペアを備える、請求項１３〜１５のいずれか１項に記載のキット。
【請求項１７】
プライマーペアが、請求項１２で定義されるプライマーペアである、請求項１６に記載のキット。
【請求項１８】
更に、別の容器に収納された少なくとも１つの以下の構成成分を含む、請求項１３〜１７のいずれか１項に記載のキット：
（ａ）ＤＮＡ単離用試薬；
（ｂ）ＤＮＡ増幅用酵素；
（ｃ）亜硫酸水素ナトリウム；
（ｄ）１又はそれ以上の緩衝液。
【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
乳を殺菌し、前記乳が、任意により粉末の形態で導入され、その後、水で混合され、その後、発酵体添加後、発酵を許容し、そして発酵後、カルシウム及びビタミンＤ添加物を添加することを含み、前記殺菌され及び発酵された乳製品が、前記製品それぞれ１００ｇあたり、以下の量のカルシウム及びビタミンＤ：
‐少なくとも３２０ｍｇのカルシウム及び少なくとも４μｇのビタミンＤ、又は
‐１５０ｍｇ≦カルシウム＜３２０ｍｇ及び４μｇ≦ビタミンＤ＜１０μｇ
を含むことを特徴とする、殺菌され及び発酵された乳製品を調製するための方法。
【請求項２】
カルシウムが、クエン酸３カルシウムの形態で導入される、請求項１に記載の方法。
【請求項３】
さらにガムを含む、請求項１又は２に記載の方法。
【請求項４】
ヨーグルト又は発酵乳製品である、請求項１〜３のいずれか一項に記載の方法。
【請求項５】
前記量が、以下：
‐カルシウム＝３２０ｍｇ及びビタミンＤ＝４μｇ、又は
‐３２０ｍｇ＜カルシウム＜１０００ｍｇ及び４μｇ＜ビタミンＤ＜１０μｇ
である、請求項１〜４のいずれか一項に記載の方法。
【請求項６】
３０ｇ超〜６０ｇ、又は６０ｇ超〜９０ｇ、又は９０ｇ超〜１１０ｇ、又は１１０ｇ超〜１３０ｇ、又は１３０ｇ超〜１５０ｇ、又は１５０ｇ超〜２００ｇ、又は２００ｇ超〜３００ｇ、又は３００ｇ超〜７００ｇ、又は７００ｇ超〜１０００ｇの提供量についてコンテナ中に含む、請求項１〜５のいずれか一項に記載の方法。
【請求項７】
新鮮に作られた殺菌され及び発酵された乳製品が、約３．２１％のカルシウム含量及び約１×１０−５％のビタミンＤ含量を含むことを特徴とする、請求項１〜６のいずれか一項に記載の方法。
【請求項８】
前記殺菌され及び発酵された乳製品が、前記製品のそれぞれ１００ｇについて、前記製品の有効期限において、約４５０ｍｇのカルシウムの量、及び約４．５μｇのビタミンＤの量を含むことを特徴とする、請求項１〜７のいずれか一項に記載の方法。
【請求項９】
前記新鮮に作られた殺菌され及び発酵された乳製品が、以下：
【表１】
2013505006.tif 000001
を含むことを特徴とする、請求項１〜７のいずれか一項に記載の方法。
【請求項１０】
前記新鮮に作られた殺菌され及び発酵された乳製品が、以下：
【表２】
2013505006.tif 000002
を含むことを特徴とする、請求項１〜７のいずれか一項に記載の方法。
【請求項１１】
前記新鮮に作られた殺菌され及び発酵された乳製品が、以下：
【表３】
2013505006.tif 000003
を含むことを特徴とする、請求項１〜７のいずれか一項に記載の方法。
【請求項１２】
前記製品が、製品１００ｇあたり、以下の栄養上の特性：
【表４】
2013505006.tif 000004
【表５】
2013505006.tif 000005
を有する製品と異なる、請求項１〜１１のいずれか一項に記載の方法。
【請求項１３】
前記製品が、前記製品１００ｇあたり、２ｇ未満の脂肪を有する、請求項１〜１２に記載の方法。
【請求項１４】
‐生乳を、脱脂粉乳を含む粉乳を混合することにより、１．８５％の脂肪及び５．１％の乳タンパク質に標準化されたスターティングミルクを得るまで、標準化し；
‐前記スターティングミルクを、保持時間８分、９２℃で殺菌し；
‐前記殺菌した乳を、その後、約４０℃で５時間超の間、ｐＨ＜４．６に到達するまで発酵を行い；
‐前記発酵され殺菌された乳を、発酵され殺菌された乳が、約２０℃の温度に達するまで、冷却剤液として０℃近くの温度の水を伴うプレート熱交換器で、冷却プロセスを行い、従って、冷却殺菌発酵乳を得；
‐前記冷たい発酵され殺菌された乳に、クエン酸３カルシウム、ビタミンＤ、加工デンプン（ｍｏｄｉｆｉｅｄ  ｓｔａｒｃｈ）及び水を含む強化製品（ｐｒｅｐａｒａｔｉｏｎ）を添加し；
‐任意により、人工甘味料及び／又は砂糖及び／又はフルーツ及び／又はアロマを、前記冷たい強化され発酵され殺菌された乳に添加し、このようにして最終製品（ｆｉｎａｌ  ｐｒｏｄｕｃｔ）を得；
‐前記最終製品を、包装し及び一旦包装中で、前記最終製品が、約８℃の温度に達するまで、第二冷却プロセスを行い、このように最終製品を製造すること
を特徴とする、請求項１〜１３のいずれか一項に記載の方法。
【請求項１５】
前記強化製品が、カルシウム含量約３．２１％及びビタミンＤ含量約１×１０−５％を伴う最終製品を提供するように、十分量添加されることを特徴とする、請求項１４に記載の方法。
【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
レスポンダーとして特徴付けられる患者を治療するための医薬の調製における、腫瘍関連抗原を含む組成物の使用、ここで該患者は以下の工程、
（ａ）患者由来のサンプルを、PSMB9, RNF144B, STAT1, TNFRSF9, 及びTOXからなる群より選択される１つ以上の遺伝子の遺伝子産物の発現差異について分析すること；および
（ｂ）工程（ａ）の結果に基づき、前記サンプルが由来する患者を、レスポンダーまたはノンレスポンダーとして特徴付けること
によりレスポンダーと決定される、前記使用。
【請求項２】
前記特徴付け工程が、標準もしくはトレーニングセットを参照することによりまたは標準もしくはトレーニングセットとの比較により実施される、請求項１に記載の使用。
【請求項３】
前記標準が、公知の臨床成績を有するサンプルである、請求項１または２に記載の使用。
【請求項４】
前記比較が標準またはトレーニングセットから得られたパラメータを有するアルゴリズムを使用することにより実施される、請求項１〜３のいずれか１項に記載の使用。
【請求項５】
患者をレスポンダーとして決定する工程及び該患者を療法のために選択する工程をさらに含む、請求項１〜４のいずれか１項に記載の使用。
【請求項６】
癌治療に対するレスポンダー又はノンレスポンダーの特徴付けのための、PSMB9, RNF144B, STAT1, TNFRSF9及びTOXからなる群より選択される１以上の遺伝子の発現差異の同定のためのプローブの使用。
【請求項７】
請求項１に記載の組成物がさらにアジュバントを含む、請求項１に記載の使用。
【請求項８】
前記療法がMAGE A3免疫療法である、請求項１〜７のいずれか１項に記載の使用。
【請求項９】
該アルゴリズムがPSMB9, RNF144B, STAT1, TNFRSF9からなる群から選択される１以上の遺伝子と表１に記載の１以上の遺伝子とを組み合わせて用い、かつ該遺伝子がトレーニングセットにおける変化に対し抵抗性である、請求項４に記載の使用。
【手続補正書】
【提出日】平成25年8月9日(2013.8.9)
【手続補正１】
【補正対象書類名】特許請求の範囲
【補正対象項目名】全文
【補正方法】変更
【補正の内容】
【特許請求の範囲】
【請求項１】
外科手術装置であって、
長尺状部材と、
長尺状部材の第１端に着脱可能に取り付け可能かつ組織分離デバイスを備えている切開モジュールと、
長尺状部材の第１端に着脱可能に取り付け可能な摘出モジュールであって、
吸引ポート、および
該吸引ポート内に配置された組織採取用具
を備えている摘出モジュールと
を含んでなる外科手術装置。
【請求項２】
切開モジュールまたは摘出モジュールを交換可能なように受け入れることを特徴とする、請求項１に記載の外科手術装置。
【請求項３】
長尺状部材の第２端に取り付けられた画像システムであって、
長尺状部材の第１端と第２端との間の中空通路を通して標的物を照明するための光源と、
標的物の画像を受像するための観察ポートと
を備えている画像システムをさらに含んでなる、請求項１に記載の外科手術装置。
【請求項４】
組織採取用具は、吸引ポート内に同心的に配置されることを特徴とする、請求項１に記載の外科手術装置。
【請求項５】
組織採取用具は中空であることを特徴とする、請求項４に記載の外科手術装置。
【請求項６】
組織採取用具はほぼ円筒状であることを特徴とする、請求項４に記載の外科手術装置。
【請求項７】
組織採取用具は、組織の標的領域を周囲の組織から分離するように構成されることを特徴とする、請求項１に記載の外科手術装置。
【請求項８】
組織採取用具は、該組織採取用具の最上縁部付近に配置された複数の湾曲型切断デバイスを備えていることを特徴とする、請求項１に記載の外科手術装置。
【請求項９】
切断デバイスは、鋭刃、鈍刃、アーム、レバー、化学物質、酵素、またはレーザーのうち少なくとも１つを備えていることを特徴とする、請求項８に記載の外科手術装置。
【請求項１０】
組織採取用具は操作者によって運転されるように構成されることを特徴とする、請求項１に記載の外科手術装置。
【請求項１１】
組織採取用具は自動運転用に構成されることを特徴とする、請求項１に記載の外科手術装置。
【請求項１２】
組織採取用具は、組織採取用具の内側表面に配置された複数の把持棚を備えていることを特徴とする、請求項１に記載の外科手術装置。
【請求項１３】
組織の標的領域は毛包を含んでいることを特徴とする、請求項１に記載の外科手術装置。
【請求項１４】
吸引ポートは組織の標的領域に吸引力を適用するように構成されることを特徴とする、請求項１に記載の外科手術装置。
【請求項１５】
吸引ポートは長尺状部材の長手方向軸に対して角度をなして配向されることを特徴とする、請求項１に記載の外科手術装置。
【請求項１６】
長尺状部材は組織分離デバイスまたは組織採取用具に連結可能な制御機構を備えていることを特徴とする、請求項１に記載の外科手術装置。
【請求項１７】
組織分離デバイスは長尺状部材に対して移動するように構成されることを特徴とする、請求項１に記載の外科手術装置。
【請求項１８】
摘出モジュールは、皮膚の構造を検知するように構成されたセンサをさらに含んでなることを特徴とする、請求項１に記載の外科手術装置。
【請求項１９】
長尺状部材は剛性であることを特徴とする、請求項１に記載の外科手術装置。
【請求項２０】
長尺状部材は可撓性であることを特徴とする、請求項１に記載の外科手術装置。
【請求項２１】
組織分離デバイスは、鋭刃、鈍刃、バルーン、電気焼灼デバイス、加圧されたガスまたは液体を供給するデバイス、酵素的または化学的な組織分離剤、およびレーザーのうち少なくとも１つを備えていることを特徴とする、請求項１に記載の外科手術装置。
【請求項２２】
吸引ポートは、組織採取用具によって摘出された組織領域を受け取るリザーバと流体連通していることを特徴とする、請求項１に記載の外科手術装置。
【請求項２３】
内視鏡手術キットであって、
患者の皮膚の下にキャビティを切開するための切開デバイスであって、
第１の長尺状部材、および
第１の長尺状部材の第１端に取り付けられた組織分離デバイス
を含んでなる切開デバイスと、
キャビティ内へ挿入するための摘出デバイスであって、
第２の長尺状部材、
第２の長尺状部材の第１端に取り付けられた吸引ポート、および
吸引ポート内に配置された組織採取用具
を含んでなる摘出デバイスと
を含んでなる内視鏡手術キット。
【請求項２４】
切開デバイスは、第１の長尺状部材の第２端に配置された画像システムをさらに含んでなることを特徴とする、請求項２３に記載の内視鏡手術キット。
【請求項２５】
画像システムは、
第１の長尺状部材の中空通路を通して第１の長尺状部材の第１端にある標的物を照明するための光源と、
標的物の画像を受像するための観察ポートと
を備えていることを特徴とする、請求項２４に記載の内視鏡手術キット。
【請求項２６】
摘出デバイスは、第２の長尺状部材の第２端に配置された画像システムをさらに含んでなることを特徴とする、請求項２３に記載の内視鏡手術キット。
【請求項２７】
組織採取用具は吸引ポート内に同心的に配置されることを特徴とする、請求項２３に記載の内視鏡手術キット。
【請求項２８】
吸引ポートは第２の長尺状部材の長手方向軸に対して角度をなして配向されることを特徴とする、請求項２３に記載の内視鏡手術キット。
【請求項２９】
バリアデバイスをさらに含んでなり、該バリアデバイスは、キャビティ内に配置されるように、かつ摘出デバイスの運転を該バリアデバイスによって画成された領域に制限するように、構成されていることを特徴とする、請求項２３に記載の内視鏡手術キット。
【請求項３０】
バリアデバイスはキャビティを開放状態に維持するように構成されることを特徴とする、請求項２９に記載の内視鏡手術キット。
【請求項３１】
バリアデバイスによって画成される領域は患者の特徴に基づいて決定されることを特徴とする、請求項２９に記載の内視鏡手術キット。
【請求項３２】
吸引ポートと流体連通しているリザーバをさらに含んでなることを特徴とする、請求項２３に記載の内視鏡手術キット。
【手続補正書】
【提出日】平成25年7月17日(2013.7.17)
【手続補正１】
【補正対象書類名】特許請求の範囲
【補正対象項目名】全文
【補正方法】変更
【補正の内容】
【特許請求の範囲】
【請求項１】
活性成分としての３，３'−ジインドリルメタンおよび標的剤を包含する経口投与用医薬組成物であって、該標的剤はオキシエチレンとオキシプロピレンとのブロック共重合体であり、該ブロック共重合体の疎水性ブロック含有量は５０質量％未満であり、親水性ブロックの分子量は２，２５０Ｄａ以上であり、該ブロック共重合体と該活性成分との比率は１０：１〜２：１の範囲内であることを特徴とする医薬組成物。
【請求項２】
オキシエチレンとオキシプロピレンとのブロック共重合体としてプルロニックＦ１２７を包含する、請求項１に記載の医薬組成物。
【請求項３】
プルロニックＬ１０を更に包含する、請求項２に記載の医薬組成物。
【請求項４】
薬学的に許容される担体を更に包含する、請求項１に記載の医薬組成物。
【請求項５】
錠剤、凍結乾燥粉末、懸濁液またはカプセル剤の剤形であることを特徴とする、請求項４に記載の医薬組成物。
【手続補正２】
【補正対象書類名】明細書
【補正対象項目名】００１４
【補正方法】変更
【補正の内容】
【００１４】
経口投与用の医薬組成物は、活性成分となる３，３'−ジインドリルメタンおよび標的剤を包含し、標的剤はオキシエチレンとオキシプロピレンとのブロック共重合体であり、該ブロック共重合体の疎水性ブロック含有量は５０質量％未満であり、親水性ブロックの分子量は２，２５０Ｄａ以上であり、該ブロック共重合体と該活性成分との比率は１０：１〜２：１の範囲内であることを特徴とする医薬組成物である。
【手続補正３】
【補正対象書類名】明細書
【補正対象項目名】００２８
【補正方法】変更
【補正の内容】
【００２８】
意外にも、ＤＩＭの生物学的利用能は、親水性ブロックの分子量にも依存することを発見した。生物学的利用能の向上に、疎水性ブロックの含有量が５０質量％未満であり、親水性ブロックの分子量が２，２５０Ｄａ以上である、オキシエチレンとオキシプロピレンとのブロック共重合体が寄与する。プルロニックＦ１２７が最も高い効率を示し、３ｍｇ／ｍｌ以上のＤＩＭを含有する安定な水系分散液を得るために使用することができる。このＤＩＭ組成物をラットに経口投与したところ、その生物学的利用能は有意に上昇した（５倍を超えた）。ブロック共重合体と活性成分との比率は、所望の放出時間に依存して変化するが、平均的には１０：１〜２：１の範囲内である。プルロニックＦ１２７とＤＩＭの最適な比率は、６：１である。
【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
インプラントデバイスであって、少なくとも２つの部位を有するポリマー体を含み、前記部位のそれぞれが生理活性剤をその中及び／又はその表面上に含み、前記生理活性剤が、前記少なくとも２つの隣接した部位から放出可能であり、
放出プロファイルが、前記部位のそれぞれからの前記生理活性剤の放出を特徴付け、
少なくとも２つの部位が、放出プロファイルで異なり、
前記部位がコア／シース構成のみで隣接せず、
前記ポリマー体が、少なくとも２つの断面部を含む、前記インプラントデバイス。
【請求項２】
前記ポリマー体が、４つの断面部を含む、請求項１に記載のインプラントデバイス。
【請求項３】
前記少なくとも２つの断面部のうち少なくとも１つが、別の断面部とは異なる放出プロファイルを示す、請求項１に記載のインプラントデバイス。
【請求項４】
前記ポリマー体が、少なくとも２つのセグメントを含む、請求項１又は３に記載のインプラントデバイス。
【請求項５】
前記セグメントの少なくとも１つが、コア／シース構造に構成され、少なくとも１つの別のセグメントが、非コア／シース構造に構成される、請求項４に記載のインプラントデバイス。
【請求項６】
前記ポリマー体が生分解性である、請求項１〜５のいずれかに記載のインプラントデバイス。
【請求項７】
請求項１〜６のいずれかに記載のインプラントデバイスを複数有するキットであって、前記インプラントデバイスの少なくとも２つが、前記キット中で異なる放出プロファイルを示す、前記キット。
【請求項８】
前記複数のインプラントデバイスが、医薬担体中に含有される、請求項７に記載のキット。
【請求項９】
前記複数のインプラントデバイスを患者に注射するための注射器具を更に含む、請求項７又は８に記載のキット。
【請求項１０】
前記複数のインプラントデバイスが、前記注射器具に装填される、請求項９に記載のキット。
【請求項１１】
放出プロファイルで異なる前記インプラントの少なくとも２つが、異なる生分解性ポリマー、異なる生理活性剤の量、異なる生理活性剤、異なるサイズ、異なる表面活特性又はこれらの組み合わせを含む、請求項７〜１０のいずれかに記載のキット。
【手続補正書】
【提出日】平成25年9月17日(2013.9.17)
【手続補正１】
【補正対象書類名】特許請求の範囲
【補正対象項目名】全文
【補正方法】変更
【補正の内容】
【特許請求の範囲】
【請求項１】
腸溶性被膜がある消化酵素含有ビーズと被膜がない消化酵素含有ビーズトを含む多粒子性の消化酵素組成物であって：
前記腸溶性被膜がある消化酵素含有ビーズが中核部と当該中核部を覆って配置される腸溶性被膜とを含み、前記中核部が治療上有効な量のリパーゼを含み、前記腸溶性被膜が腸溶性の重合体を含み；
前記被膜がない消化酵素含有ビーズが治療上有効な量のプロテアーゼを含み、腸溶性の重合体被膜が実質的になく；
該被覆があるビーズのリパーゼ活性の範囲が約１０００ＵＳＰ単位ないし約１０，０００ＵＳＰ単位であり、該被覆がないビーズにおけるプロテアーゼ活性の範囲が約６５，０００ＵＳＰ単位ないし約３４，０００ＵＳＰ単位であることを特徴とする、多粒子性の消化酵素組成物。
【請求項２】
請求項１に記載の多粒子性の消化酵素組成物において、前記被覆があるビーズのリパーゼ活性の範囲が約１０００ＵＳＰ単位ないし約５０００ＵＳＰ単位であることを特徴とする、多粒子性の消化酵素組成物。
【請求項３】
請求項１に記載の多粒子性の消化酵素組成物において、前記被覆があるビーズのリパーゼ活性の範囲が約２０００ＵＳＰ単位ないし約４０００ＵＳＰ単位であることを特徴とする、多粒子性の消化酵素組成物。
【請求項４】
請求項１に記載の多粒子性の消化酵素組成物において：
該腸溶性の消化酵素含有ビーズ及び該被膜がない消化酵素含有ビーズの各々がリパーゼとプロテアーゼとを具え、プロテアーゼ活性及びリパーゼ活性が実質的に同一であり；
前記腸溶性被膜がある消化酵素含有ビーズにおけるリパーゼ活性の、前記被膜がない消化酵素含有ビーズにおけるリパーゼ活性に対する比率の範囲が約９５：５ないし約５０：５０であり；
前記腸溶性被膜がある消化酵素含有ビーズにおけるプロテアーゼ活性の、前記被膜がない消化酵素含有ビーズにおけるプロテアーゼ活性に対する比率の範囲が約５：９５ないし約５０：５０である；
ことを特徴とする、多粒子性の消化酵素組成物。
【請求項５】
請求項２に記載の多粒子性の消化酵素組成物において：
前記腸溶性被膜がある消化酵素含有ビーズにおけるリパーゼ活性の、前記被膜がない消化酵素含有ビーズにおけるリパーゼ活性に対する比率の範囲が約９５：５ないし約７５：２５であり；
前記腸溶性被膜がある消化酵素含有ビーズにおけるプロテアーゼ活性の、前記被膜がない消化酵素含有ビーズにおけるプロテアーゼ活性に対する比率の範囲が約５：９５ないし約２５：７５である；
ことを特徴とする、多粒子性の消化酵素組成物。
【請求項６】
請求項１に記載の多粒子性の消化酵素組成物を含むことを特徴とする剤形。
【請求項７】
請求項６に記載の剤形において、前記被膜がない消化酵素含有ビーズの総プロテアーゼ活性の範囲が約３４，０００ＵＳＰ単位プロテアーゼないし約６２，０００ＵＳＰ単位プロテアーゼであることを特徴とする剤形。
【請求項８】
請求項６に記載の剤形において、前記被膜がない消化酵素含有ビーズの総プロテアーゼ活性の範囲が約４７，０００ＵＳＰ単位プロテアーゼないし約６２，０００ＵＳＰ単位プロテアーゼであることを特徴とする剤形。
【請求項９】
前記多粒子性の消化酵素組成物を充填したカプセル形態の請求項６に記載の剤形。
【請求項１０】
膵炎痛を治療するための請求項１に記載の多粒子性の消化酵素組成物。
【請求項１１】
膵炎痛と膵不全とを治療するための請求項１に記載の多粒子性の消化酵素組成物。
【請求項１２】
請求項１１に記載の多粒子性の消化酵素組成物において、前記腸溶性被膜がある消化酵素含有ビーズのリパーゼ活性の範囲が約１０００ないし約５，０００ＵＳＰ単位リパーゼとなるような量の前記多粒子性の消化酵素組成物が、１食あたりに投与されることを特徴とする多粒子性の消化酵素組成物。
【請求項１３】
膵外分泌機能不全を治療するための多粒子性の消化酵素組成物であって、治療上有効な用量の該組成物が必要に応じて患者に投与され、前記治療上有効な用量中の前記腸溶性被膜がある消化酵素含有ビーズの量の範囲が、１食あたり約１００ないし約３００ＵＳＰ単位リパーゼ／ｋｇであることを特徴とする多粒子性の消化酵素組成物。
【請求項１４】
請求項１３に記載の多粒子性の消化酵素組成物において、前記腸溶性被膜がある消化酵素含有ビーズにおけるリパーゼの日用量の範囲が、約３５，０００ないし約９０，０００ＵＳＰ単位リパーゼであることを特徴とする多粒子性の消化酵素組成物。
【請求項１５】
膵臓痛を治療するための請求項１に記載の多粒子性の消化酵素組成物。
【請求項１６】
請求項１５に記載の多粒子性の消化酵素組成物において、前記被膜がない消化酵素含有ビーズのプロテアーゼ活性の範囲が約１３０，０００ないし約２６０，０００ＵＳＰ単位リパーゼとなるような量の多粒子性の消化酵素組成物が、１食あたりに投与されることを特徴とする多粒子性の消化酵素組成物。
【手続補正書】
【提出日】平成25年9月13日(2013.9.13)
【手続補正１】
【補正対象書類名】特許請求の範囲
【補正対象項目名】全文
【補正方法】変更
【補正の内容】
【特許請求の範囲】
【請求項１】
末梢におけるオピオイド受容体の活性化と関連している対象の病状を治療または予防するための医薬組成物であって、治療有効量の式（Ｉ）：
【化１】
2013505260.tif 000001
の化合物、またはその薬学的に許容され得る塩を含み、前記治療有効量が約０．０１ｍｇ〜約１．０ｍｇ／日である、医薬組成物。
【請求項２】
前記治療有効量が約０．０５ｍｇ〜約０．５ｍｇ／日である、請求項１に記載の医薬組成物。
【請求項３】
前記病状が、術後イレウス、術後悪心および嘔吐、オピオイド誘発性悪心および嘔吐、オピオイド誘発性呼吸抑制、オピオイド誘発性便秘、オピオイド誘発性腸管機能不全、慢性特発性便秘、便秘型過敏性腸症候群、腸偽性閉塞、胃排出遅延、経腸栄養不耐性、麻薬性イレウス、腸の閉塞、術後の消化器回復の加速およびオピオイド誘発性鼓脹からなる群より選択される、請求項１に記載の医薬組成物。
【請求項４】
前記対象がヒトである、請求項１に記載の医薬組成物。
【請求項５】
ヒトのオピオイド誘発性便秘を治療または予防するための医薬組成物であって、治療有効量の式（Ｉ）：
【化２】
2013505260.tif 000002
の化合物、またはその薬学的に許容され得る塩を含み、前記治療有効量が約０．０１ｍｇ〜約１．０ｍｇ／日である、医薬組成物。
【請求項６】
前記式（Ｉ）の化合物の有効量が約０．０５〜約０．５ｍｇ／日である、請求項５に記載の医薬組成物。
【請求項７】
前記式（Ｉ）の化合物がオピオイド鎮痛薬と一緒に投与される、請求項５に記載の医薬組成物。
【請求項８】
経口投薬形態、舌下投薬形態、静脈内投薬形態、筋肉内投薬形態、皮下投薬形態および経皮投薬形態からなる群より選択される投薬形態である、請求項５に記載の医薬組成物。
【請求項９】
ヒトのオピオイド誘発性腸管機能不全を治療または予防するための医薬組成物であって、治療有効量の式（Ｉ）：
【化３】
2013505260.tif 000003
の化合物、またはその薬学的に許容され得る塩を含み、前記治療有効量が約０．０１ｍｇ〜約１．０ｍｇ／日である、医薬組成物。
【請求項１０】
前記式（Ｉ）の化合物の有効量が約０．０５〜約０．５ｍｇ／日である、請求項９に記載の医薬組成物。
【請求項１１】
前記式（Ｉ）の化合物がオピオイド鎮痛薬と一緒に投与される、請求項９に記載の医薬組成物。
【請求項１２】
経口投薬形態、舌下投薬形態、静脈内投薬形態、筋肉内投薬形態、皮下投薬形態および経皮投薬形態からなる群より選択される投薬形態である、請求項９に記載の医薬組成物。
【請求項１３】
末梢におけるオピオイド受容体の活性化と関連している対象の病状の治療または予防のための医薬の調製における、治療有効量の式（Ｉ）：
【化４】
2013505260.tif 000004
の化合物、またはその薬学的に許容され得る塩の使用であって、前記治療有効量が約０．０１ｍｇ〜約１．０ｍｇ／日である使用。
【請求項１４】
前記治療有効量が約０．０５ｍｇ〜約０．５ｍｇ／日である、請求項１３に記載の使用。
【請求項１５】
ヒトのオピオイド誘発性便秘の治療または予防のための医薬の調製における、治療有効量の式（Ｉ）：
【化５】
2013505260.tif 000005
の化合物またはその薬学的に許容され得る塩の使用であって、前記治療有効量が約０．０１ｍｇ〜約１．０ｍｇ／日である使用。
【請求項１６】
前記治療有効量が約０．０５ｍｇ〜約０．５ｍｇ／日である、請求項１５に記載の使用。
【請求項１７】
ヒトのオピオイド誘発性腸管機能不全の治療または予防のための医薬の調製における、治療有効量の式（Ｉ）：
【化６】
2013505260.tif 000006
の化合物またはその薬学的に許容され得る塩の使用であって、前記治療有効量が約０．０１ｍｇ〜約１．０ｍｇ／日である使用。
【請求項１８】
前記治療有効量が約０．０５ｍｇ〜約０．５ｍｇ／日である、請求項１７に記載の使用。
【請求項１９】
ヒトのオピオイド誘発性便秘を治療または予防するための医薬組成物であって、治療有効量の式（Ｉ）：
【化７】
2013505260.tif 000007
の化合物またはその薬学的に許容され得る塩を含み、前記治療有効量が約０．０１ｍｇ〜約０．５ｍｇ  ＢＩＤである、医薬組成物。
【請求項２０】
ヒトのオピオイド誘発性腸管機能不全を治療または予防するための医薬組成物であって、治療有効量の式（Ｉ）：
【化８】
2013505260.tif 000008
の化合物、またはその薬学的に許容され得る塩を含み、前記治療有効量が約０．０１ｍｇ〜約０．５ｍｇ  ＢＩＤである、医薬組成物。